(57)【要約】【課題】  無線送信装置からの識別信号が複数送信されてくる混信エリアにおいて所望な１つの無線送信装置からの識別信号を受信し、また、無線送信装置から十分離れているエリアにおいて使用者が意図しない識別信号を受信しない無線受信装置を提供することにある。【解決手段】  アンテナと、該アンテナを通じて複数の無線送信装置固有の識別信号を受信する通信部と、該通信部を制御する通信制御部と、前記無線送信装置固有の識別信号を識別信号毎に集計する集計部と、該集計部の集計結果に基づいて１つの識別信号を決定する決定部とを有し、前記通信制御部により前記通信部を所定期間受信可能状態にして、前記集計部にて所定期間受信した前記無線送信装置固有の識別信号を集計すると共に、前記決定部は前記集計結果に基づいて受信した前記無線送信装置固有の識別信号の有無または受信した前記無線送信装置固有の識別信号を決定する。【選択図】      図１
2005197903.tif 000002
【特許請求の範囲】
【請求項１】
複数の無線送信装置から送信される複数の無線送信装置固有の識別信号を受信可能なアンテナと、該アンテナを通じて前記複数の無線送信装置固有の識別信号を受信する通信部と、該通信部を通信可能状態に制御する通信制御部と、受信した前記無線送信装置固有の識別信号を識別信号毎に集計する集計部と、該集計部の集計結果に基づいて１つの識別信号を決定する決定部とを有する無線受信装置であって、前記通信制御部は前記通信部を所定期間受信可能状態にして、前記集計部にて所定期間受信した前記無線送信装置固有の識別信号を集計すると共に、前記決定部は前記集計結果に基づいて受信した前記無線送信装置固有の識別信号の有無または受信した前記無線送信装置固有の識別信号を決定することを特徴とする無線受信装置。
【請求項２】
前記決定部は、前記集計結果に基づいて、受信回数の一番多い識別信号と受信回数の２番目に多い識別信号を求め、前記受信回数の一番多い識別信号の受信回数と前記受信回数の２番目に多い識別信号の受信回数との差が第１所定値以上であり、かつ、前記受信回数の一番多い識別信号の受信回数が前記第２所定値以上であると判断した場合、前記受信回数の一番多い識別信号を識別信号として決定することを特徴とする請求項１に記載の無線受信装置。
【請求項３】
前記決定部は、前記集計結果に基づいて、受信回数の一番多い識別信号と受信回数の２番目に多い識別信号を求め、前記受信回数の一番多い識別信号の受信回数と前記受信回数の２番目に多い識別信号の受信回数との差が第１所定値以下だった場合、識別信号を受信しなかったと判断することを特徴とする請求項１に記載の無線受信装置。
【請求項４】
前記決定部は、前記集計結果に基づいて、前記受信回数の１番多い識別信号を求め、該受信回数の１番多い識別信号の受信回数が第２所定値以下だった場合、識別信号を受信しなかったと判断することを特徴とする請求項１に記載の無線受信装置。
【発明の詳細な説明】
【技術分野】
【０００１】
本発明は、無線にて送信される送信信号を受信する無線受信装置に関するものである。
【背景技術】
【０００２】
従来より、随所に設けられた送信装置から無線にて送信される固有の識別信号を、巡回者が保持する無線受信装置にて受信し、受信した識別信号を時系列的に記憶しておき、必要に応じてその受信ログを参照することにより、巡回者が巡回経路を容易に把握できる用途に供する無線受信装置が知られている（例えば特許文献１参照）。
【０００３】
【特許文献１】特開平９−３４９１６号公報（第３−４頁、第３図）
【発明の開示】
【発明が解決しようとする課題】
【０００４】
しかし、複数の無線送信装置が近接して設置された場合、複数の識別信号が受信できてしまう混信エリアが存在する。このような混信エリアに無線受信装置を置くと、それらの複数の識別信号を受信したくないにも関わらず、複数の識別信号を次々と受信してしまうことがあった。
【０００５】
また、無線受信装置が無線送信装置から十分離れているにも関わらず、無線受信装置の使用者が意図しない識別信号を受信してしまう場合があった。
【０００６】
本発明の目的は、上記課題を解決しようとするもので、無線送信装置からの識別信号が複数送信されてくる混信エリアにおいて所望な１つの無線送信装置からの識別信号を受信し、また、無線送信装置から十分離れているエリアにおいて使用者が意図しない識別信号を受信しない無線受信装置を提供することにある。
【課題を解決するための手段】
【０００７】
上記目的を達成するための本発明の要旨は、複数の無線送信装置から送信される複数の無線送信装置固有の識別信号を受信可能なアンテナと、該アンテナを通じて前記複数の無線送信装置固有の識別信号を受信する通信部と、該通信部を通信可能状態に制御する通信制御部と、受信した前記無線送信装置固有の識別信号を識別信号毎に集計する集計部と、該集計部の集計結果に基づいて１つの識別信号を決定する決定部とを有する無線受信装置であって、前記通信制御部は前記通信部を所定期間受信可能状態にして、前記集計部にて所定期間受信した前記無線送信装置固有の識別信号を集計すると共に、前記決定部は前記集計結果に基づいて受信した前記無線送信装置固有の識別信号の有無または受信した前記無線送信装置固有の識別信号を決定することにより、使用者が意図した識別信号を受信することができる。
【０００８】
また、前記決定部は、前記集計結果に基づいて、受信回数の一番多い識別信号と受信回数の２番目に多い識別信号を求め、前記受信回数の一番多い識別信号の受信回数と前記受信回数の２番目に多い識別信号の受信回数との差が第１所定値以上であり、かつ、前記受信回数の一番多い識別信号の受信回数が前記第２所定値以上であると判断した場合、前記受信回数の一番多い識別信号を識別信号として決定することにより、無線送信装置からの識別信号が複数送信されてくる混信エリアや無線送信装置から十分離れているエリアにおいても使用者が意図した識別信号を受信することができる。
【０００９】
また、前記決定部は、前記集計結果に基づいて、受信回数の一番多い識別信号と受信回数の２番目に多い識別信号を求め、前記受信回数の一番多い識別信号の受信回数と前記受信回数の２番目に多い識別信号の受信回数との差が第１所定値以下だった場合、識別信号を受信しなかったと判断することにより、無線送信装置からの識別信号が複数送信されてくる混信エリアにおいて使用者が意図しない識別信号を受信するのを避けることができる。
【００１０】
また、前記決定部は、前記集計結果に基づいて、前記受信回数の１番多い識別信号を求め、該受信回数の１番多い識別信号の受信回数が第２所定値以下だった場合、識別信号を受信しなかったと判断することにより、無線送信装置から十分離れているエリアにおいて使用者が意図しない識別信号を受信するのを避けることができる。
【発明の効果】
【００１１】
上記のごとく本発明によれば、無線送信装置からの識別信号が複数送信されてくる混信エリアや無線送信装置から十分離れているエリアにおいても使用者が意図した識別信号を受信することができる。
【発明を実施するための最良の形態】
【００１２】
本発明の一実施の形態における無線受信装置１を図１を用いて説明する。
【００１３】
図１において、２は複数の無線送信装置から送信される複数の無線送信装置固有の識別信号を受信可能なアンテナであって、アンテナ２は、例えば３１５ＭＨｚ帯の微弱無線通信を用いて、無線送信装置１３からアンテナ１４を通じて送信される送信信号を受信するものである。この送信信号には無線送信装置１３固有の識別信号が含まれている。
【００１４】
通信部３は、ＣＰＵ１２内の通信制御部９の制御により、無線送信装置１３から送信される識別信号をアンテナ２を通じて受信するもので、通信制御部９から受信ゲート信号を制御することにより受信可能状態、受信不可能状態が制御される。
【００１５】
表示部４は、ＣＰＵ１２内の表示制御部１１の制御により、受信動作に応じた内容の表示等を行なうものである。
【００１６】
ＲＯＭ５は、ＣＰＵ１２が実行するプログラムやデータが記録されている読み取り専用メモリである。
【００１７】
ＲＡＭ６は、ＣＰＵ１２の実行時に一時的に生成されるデータを保存するランダムアクセスメモリである。 
【００１８】
集計部７は、無線送信装置から受信した識別信号を集計し、データベースを作成するものである。
【００１９】
決定部８は、集計部７にて作成されたデータベースに基づいて、受信の有無の決定や受信した識別信号の決定を行なうものである。
【００２０】
ＣＰＵ１２は、集計部７、決定部８、通信制御部９、タイマー１０、表示制御部１１を含み、無線受信装置１の各種制御を行なうものである。
【００２１】
次に図１の無線受信装置１の動作を図２のフローチャートに基づいて説明する。この動作は、主にＣＰＵ２１がＲＯＭ５に記憶されているプログラムを実行することにより行うものである。
【００２２】
［全体の処理］
まず、無線受信装置１の電源が投入されると（Ｓ２０１）、ＣＰＵ１２のリセット処理が行なわれる（Ｓ２０２）。
【００２３】
次に、通信制御部９は、通信部３への受信ゲート信号を制御することにより、通信部３を受信可能状態にし（Ｓ２０３）、所定期間に受信される無線送信装置の識別信号の集計処理を行なう（Ｓ２０４）。本実施形態では該所定期間を１秒間とする。
【００２４】
次に、通信制御部９は、通信部３への受信ゲート信号を制御することにより、通信部３を受信不可能状態にする（Ｓ２０５）。
【００２５】
次に、決定部９は、Ｓ２０４にて集計した結果に基づき、受信の有無の決定や受信した識別信号の決定のための決定処理を行なう（Ｓ２０６）。
【００２６】
以降は、Ｓ２０３からＳ２０６までの一連の処理を繰返す。
【００２７】
［集計処理］
図３を用いて、Ｓ２０４の集計処理の動作を説明する。
【００２８】
まず、無線送信装置の識別信号の受信待ちを行ない（Ｓ３０１）、受信したときは（Ｓ３０１：Ｙｅｓ）、タイマー１０を０に初期化する（Ｓ３０２）。即ち、Ｓ３０１での受信待ちはタイマー１０の起動のトリガーとなるものである。
【００２９】
次に、無線送信装置の識別信号の受信の有無を判断し（Ｓ３０３）、受信があった場合（Ｓ３０３：Ｙｅｓ）、受信した識別信号に基づきデータベースの作成、編集を行なう（Ｓ３０４）。このデータベースは図７に示すように受信した識別信号とその受信回数を集計したものである。
【００３０】
次に、タイマー１０が１秒を計時したかどうか判断する（Ｓ３０５）。なお、無線送信装置の識別信号の受信の有無を判断し（Ｓ３０３）、受信がなかった場合（Ｓ３０３：Ｎｏ）はデータベースの作成、編集を行なうことなく、タイマー１０が１秒を計時したかどうか判断する（Ｓ３０５）。そして、１秒を計時していなければ（Ｓ３０５：Ｎｏ）Ｓ３０３へ戻り、Ｓ３０３からＳ３０５までの受信待ち、受信した識別信号の集計の一連の処理を繰返す。１秒を計時していたら（Ｓ３０５：Ｙｅｓ）このサブルーチンを終了する。
【００３１】
［決定処理］
図４を用いて、Ｓ２０６の決定処理の動作を説明する。
【００３２】
まず、Ｓ２０４で集計して作成したデータベースに基づいて受信回数の一番多い識別信号を求め、これをＩＤａとする（Ｓ４０１）。
【００３３】
次に、受信回数の２番目に多い識別信号を求め、これをＩＤｂとする（Ｓ４０２）。
【００３４】
次に、ＩＤａの受信回数とＩＤｂの受信回数との差を求め、この差が所定数ＴＨａ以上か否か判断する（Ｓ４０３）。本実施形態ではＴＨａを３とする。差が所定数ＴＨａ以上だったら（Ｓ４０３：Ｙｅｓ）、更にＩＤａの受信回数が所定数ＴＨｂ以上か否か判断する（Ｓ４０４）。本実施形態ではＴＨｂを４とする。所定数ＴＨｂ以上だったら（Ｓ４０４：Ｙｅｓ）、ＩＤａを受信識別信号に決定する（Ｓ４０５）。
【００３５】
次に、ＩＤａを受信識別信号ログとしてＲＡＭ６に記憶し（Ｓ４０６）、表示制御部１１を通じてＩＤａを表示部４に表示する（Ｓ４０７）。
【００３６】
Ｓ４０３でＩＤａ受信回数とＩＤｂ受信回数との差が所定数以上と判断されない（Ｓ４０３：Ｎｏ）か、あるいはＳ４０４でＩＤａ受信回数が所定数以上と判断されなかったら、受信されなかったものと判断し、その旨を示す表示を行なう（Ｓ４０８）。
【００３７】
Ｓ４０７、Ｓ４０８が終わったら、本サブルーチンを終了する。
【００３８】
次に、決定処理Ｓ２０６の作用を図５、図６を用いて説明する。
【００３９】
図５は、無線送信装置１と無線送信装置２が存在し、その近辺に無線受信装置５１、無線受信装置５２、無線受信装置５３が存在する状態を示している。なお、５０１は無線送信装置１の送信エリアを、５０２は無線送信装置２の送信エリアをそれぞれ示している。無線送信装置１と無線送信装置２の送信信号の強度は、無線送信装置から離れるに従って弱くなっていくものとする。また、各無線送信装置は各々固有のＩＤ番号を０．２秒間隔で送信し続けるものとする。
【００４０】
図６は、通信制御部９からの受信ゲート信号と、受信ゲート信号がＬｏｗのとき通信部３が受信可能状態になり、そのときに受信する識別信号を時系列的に示したものである。
【００４１】
まず、無線受信装置５１は、無線送信装置１に近く、無線送信装置２から遠く、送信エリア５０２に辛うじて含まれる位置に存在している。この位置では無線送信装置１からの信号強度が強く、無線送信装置２からの信号強度は弱い。その為、図６（ａ）に示すように、１秒間に無線送信装置１の識別信号（ＩＤ１）を５回受信しているが、無線送信装置２の識別信号（ＩＤ２）は２回しか受信しない。従って無線受信装置５１が決定処理Ｓ２０６を行なうと、受信回数の一番多い識別信号がＩＤ１になり、受信回数の２番目に多い識別信号がＩＤ２になり、その差は３になるので、Ｓ４０３では差がＴＨａ（３）以上と判断される。また、Ｓ４０４ではＩＤ１の受信回数５はＴＨｂ（４）以上と判断され、受信識別信号としてＩＤ１が決定される。無線受信装置５１のように無線送信装置１に極めて近い位置にいることは、使用者が無線送信装置１の識別信号を受信すべく意図して無線送信装置１に近づいたと考えられる為、図６（ａ）のように受信識別信号として決定されることが望ましいのである。なお、無線送信装置１からのＩＤ１の送信間隔は０．２秒としているので、無線受信装置５１は１秒間に最大５個のＩＤ１を受信している。
【００４２】
また、無線受信装置５２は、無線送信装置１と無線送信装置２とを結んだ直線上の丁度中間位置に存在する。この位置では、無線送信装置１と無線送信装置２からの信号強度が同等である。その為、図６（ｂ）に示すように無線送信装置１のＩＤ番号（ＩＤ１）と無線送信装置２のＩＤ番号（ＩＤ２）を交互に受信し、結局１秒間にＩＤ１を５回、ＩＤ２を４回受信している。従って無線受信装置５２が決定処理Ｓ２０６を行なうと、受信回数の一番多い識別信号がＩＤ１になり、受信回数の２番目に多いＩＤ番号がＩＤ２になり、その差は１になるので、Ｓ４０３では差がＴＨａ（３）以下となり、受信されなかったと判断される（Ｓ４０８）。無線受信装置５２のように２つの無線送信装置の丁度中間に位置するときは、使用者がどちらかの無線送信装置のＩＤ番号を受信しようと意図してその場にいるのでは無いと考えられる。しかるに双方の識別信号を次々と受信してしまうので、Ｓ４０３において、ＩＤ１の受信回数とＩＤ２の受信回数との差があまり無いと判断したときは、図６（ｂ）のように混信しているだろうと判断し、識別信号を受信しなかったと判断するのである。
【００４３】
また、無線受信装置５３は、無線送信装置１から離れているが辛うじて無線送信装置１
の送信エリア内であり、無線送信装置２の送信エリア外の位置に存在する。この位置では、無線送信装置１からの信号強度が弱く、しかも使用者が保持する無線受信装置５３の向きなどの状態によってＩＤ１を受信したり受信しなかったりする。その為、図６（ｃ）に示すようにＩＤ１を１秒間に３回しか受信しない。従って無線受信装置５３が決定処理Ｓ２０６を行なうと、受信回数の一番多いＩＤ番号がＩＤ１になり、受信回数の２番目に多いＩＤ番号は無いので、その差は３になるので、Ｓ４０３では差がＴＨａ（３）以上と判断される。また、Ｓ４０４ではＩＤ１の受信回数３はＴＨｂ（４）以下となり、受信されなかったと判断される（Ｓ４０８）。無線受信装置５３のように無線送信装置から離れた場所に位置するときは、無線受信装置５２と同様、使用者は無線送信装置１の識別信号を受信しようと意図してその場にいるのでは無いと考えられる。しかし、使用者が保持する無線受信装置５３の向きなどの状態によっては、図６（ｃ）のように無線送信装置１の識別信号を受信してしまうことがあるので、Ｓ４０４において、ＩＤ１の受信回数が少ないと判断したときは、使用者が意図して受信したものではないと判断し、識別信号を受信しなかったと判断するのである。
【００４４】
なお、所定数ＴＨａ及び所定数ＴＨｂは、無線送信装置からの識別信号の送信間隔、識別信号を集計する為に通信部３を受信可能状態にする期間等により適宜決めることが望ましい。
また、図４のＳ４０３において、受信回数の１番多い識別信号と受信回数の２番目に多い識別信号との受信回数の差が所定数より小さい場合（Ｓ４０３：Ｎｏ）は受信しなかったものと判断するように構成したが、それに限らず、予め識別信号に優先順位をつけておき、受信した識別信号の受信回数の差が所定数より小さい場合は、受信した識別番号のうち、優先順位が高い方の識別信号を受信識別信号として決定するようにしても良い。このように構成すれば、使用者が現在どの辺りにいるかを判断する目安とすることができる。
【図面の簡単な説明】
【００４５】
【図１】本発明の一実施の形態を示す無線受信装置の構成図である。
【図２】本発明の一実施の形態の無線受信装置の全体動作を示す図である。
【図３】本発明の一実施の形態の無線受信装置の集計処理を示す図である。
【図４】本発明の一実施の形態の無線受信装置の決定処理を示す図である。
【図５】本発明の一実施の形態の無線受信装置の受信状態を示す図である。
【図６】本発明の一実施の形態の無線受信装置の受信時の動作を示す図である。
【図７】本発明の一実施の形態の無線受信装置の集計部の動作を示す図である。
【符号の説明】
【００４６】
１  無線受信装置
２  アンテナ
３  通信部
４  表示部
５  ＲＯＭ
６  ＲＡＭ
７  集計部
８  決定部
９  通信制御部
１０  タイマー
１１  表示制御部
１２  ＣＰＵ
１３  無線送信装置
１４  アンテナ
【図１】
2005197903.tif 000003
【図２】
2005197903.tif 000004
【図３】
2005197903.tif 000005
【図４】
2005197903.tif 000006
【図５】
2005197903.tif 000007
【図６】
2005197903.tif 000008
【図７】
2005197903.tif 000009